(57)【要約】【課題】  光ディスクに格納されているコンテンツを簡単に確認できるようにする。【解決手段】  データ記録再生装置５０は、光ディスク１０のローディング時に、例えば、ＢＣＡ（Burst Cutting Area：バーストカッティングエリア）バーコード内の識別情報などの光ディスクの信号面の所定領域に記録されている情報を読み取り、光ディスク内に格納されているコンテンツデータを特定するタイトル情報との関連付けを行って保持する。一方、光ディスクには、光ディスクの識別情報が格納されたレーベルバーコード２１が印刷されている。ユーザは、光ディスクを手元に置いた状態で、リモコン４０のバーコード読み取り部４１によってレーベルバーコード内の情報を読み取り、データ記録再生装置に送る。データ記録再生装置は、受信したレーベルバーコード内の情報に基づいて光ディスクを特定し、コンテンツデータに係る情報をモニタ６０に表示する。【選択図】  図４
2006221725.tif 000002
【特許請求の範囲】
【請求項１】
光ディスクの識別情報が格納された識別領域又は識別体を有する光ディスクと、ユーザが操作を行うための操作装置と、前記光ディスクの信号面に記録されているコンテンツデータを再生し、再生された前記コンテンツデータを所定のモニタに表示するデータ記録再生装置とを有するデータ記録再生システムであって、
前記操作装置が、
前記識別領域又は前記識別体に格納されている情報を読み取る識別情報読み取り手段と、
前記識別情報読み取り手段によって読み取られた前記情報を前記データ記録再生装置に送信する情報送信手段とを有し、
前記データ記録再生装置が、
前記光ディスクの信号面に記録されている情報を読み取るディスク読み取り手段と、
前記ディスク読み取り手段によって読み取られた前記光ディスクの前記信号面の所定領域に記録されている所定情報と、前記光ディスクの信号面に記録されている前記コンテンツデータを特定するための情報とを関連付けて格納する情報格納手段と、
前記操作装置の前記情報送信手段から送信された前記情報を受信する情報受信手段と、
前記情報受信手段によって受信した前記情報に基づいて、前記情報格納手段に格納されている前記所定情報を特定するとともに、前記所定情報に関連付けられている前記コンテンツデータを特定するための前記情報を読み出して、前記所定のモニタに表示するための情報に加工するデータ処理手段とを、
有するデータ記録再生システム。
【請求項２】
請求項１に記載のデータ記録再生システムで用いられる光ディスク。
【発明の詳細な説明】
【技術分野】
【０００１】
本発明は、データ記録再生システム及び光ディスクに関し、特に、格納されている情報を簡便に確認できるようにするためのデータ記録再生システム及び光ディスクに関する。
【背景技術】
【０００２】
近年、映像を記録することが可能な大容量のＣＤ（Compact Disc）、ＤＶＤ（Digital Versatile Disc）、ＢＤ（Blu-ray Disc：登録商標）などの光ディスクと、テレビ放送番組やデジタルビデオカメラによって撮影した動画などのコンテンツを光ディスクに記録することが可能なデータ記録再生装置が普及し始めており、光ディスクへのテレビ放送番組の録画が一般的に行われるようになってきている。
【０００３】
また、下記の特許文献１には、光ディスクの外周側面に各光ディスクに関する情報が記録された識別体（例えばバーコード）を設け、収納検索装置の検索手段がこの識別体の情報を読み取ることで、光ディスクの特定を行うことによって、高密度の収納状態（具体的には、光ディスクが積み重ねて収納されており、情報記録ディスクの外周側面のみが露出されている状態）にある光ディスクの検索を迅速、かつ正確に行うことを可能とする技術が開示されている。
【０００４】
また、下記の特許文献２には、光ディスクの製造工程において、光ディスクに刻印されたバーコード内の情報と、オーダ番号に対応するディスク番号との一致／不一致を判定することで、光ディスクの製造工程における作業効率を向上させることを可能とする技術が開示されている。
【０００５】
また、下記の特許文献３には、光ディスクの内周部分に補助情報を記録するために設けられたバーコードによる記録部分であるＢＣＡ（Burst Cutting Area：バーストカッティングエリア）に、著作権の保護や選択的な再生許可などの付加的な機能の実現を目的とした再生制御情報を記録しておき、光ディスクの主情報の再生時に、ＢＣＡの再生制御情報を読み出し、この再生制御情報に応じて主情報の再生制御を行う技術が開示されている。
【０００６】
また、下記の非特許文献１には、光ディスクの１つである再生専用のＤＶＤ−Ｖｉｄｅｏディスクに、ビデオデータなどの主情報と共に、ファイルシステム（管理情報）やタイトル情報なども格納されている旨が記載されている。ファイルシステムには、例えば、データの記録日時情報が含まれている。
【特許文献１】特開平１０−１８８５３９号公報（図１、３）
【特許文献２】特開平１０−３２０８３６号公報（図１、５）
【特許文献３】特開２００１−２２２８２１号公報（図１、３）
【非特許文献１】守屋充郎、戸倉毅、「ＤＶＤ規格の概要」、National Technical Report Vol.43 No.3, June 1997
【発明の開示】
【発明が解決しようとする課題】
【０００７】
しかしながら、光ディスクに所望のテレビ放送番組などのコンテンツを簡単に録画することができるようになったが、光ディスクにどのような内容のコンテンツが記録されているのかを判別することは容易ではない。特に、テレビ放送番組などのコンテンツの記録に用いた光ディスクが複数枚存在する場合には、どの光ディスクにどのコンテンツが録画されているかを把握するための管理は困難な作業を伴う。
【０００８】
例えば、ユーザが、どの光ディスクにどのコンテンツを録画したかをメモしておくことによって、コンテンツの管理が可能とはなるが、こうした管理は非常に煩雑な作業を必要とするものである。また、実際に光ディスクを再生して、その内容を表示画面で確認することによって、光ディスクの内容が判明するが、データ再生装置などによって、光ディスクを１つずつローディングしなければならないため、内容の確認に時間がかかるとともに、大量の光ディスクが存在する場合には、データ再生装置への光ディスクの挿入／取り出しを繰り返し行わなければならないため、かなりの労力及び時間を要する作業となってしまうという課題がある。
【０００９】
また、上述の特許文献１〜３に開示されている技術によれば、光ディスクが有するバーコード内の情報を用いて、光ディスクの識別や再生制御などを行うことは可能であるが、光ディスクに記録されているコンテンツを確認できるようにすることは不可能である。
【００１０】
本発明は、上記の課題に鑑み、光ディスクに格納されているコンテンツを簡単に確認できるようにするデータ記録再生システム及び光ディスクを提供することを目的とする。
【課題を解決するための手段】
【００１１】
上記目的を達成するため、本発明によれば、光ディスクの識別情報が格納された識別領域又は識別体を有する光ディスクと、ユーザが操作を行うための操作装置と、前記光ディスクの信号面に記録されているコンテンツデータを再生し、再生された前記コンテンツデータを所定のモニタに表示するデータ記録再生装置とを有するデータ記録再生システムであって、
前記操作装置が、
前記識別領域又は前記識別体に格納されている情報を読み取る識別情報読み取り手段と、
前記識別情報読み取り手段によって読み取られた前記情報を前記データ記録再生装置に送信する情報送信手段とを有し、
前記データ記録再生装置が、
前記光ディスクの信号面に記録されている情報を読み取るディスク読み取り手段と、
前記ディスク読み取り手段によって読み取られた前記光ディスクの前記信号面の所定領域に記録されている所定情報と、前記光ディスクの信号面に記録されている前記コンテンツデータを特定するための情報とを関連付けて格納する情報格納手段と、
前記操作装置の前記情報送信手段から送信された前記情報を受信する情報受信手段と、
前記情報受信手段によって受信した前記情報に基づいて、前記情報格納手段に格納されている前記所定情報を特定するとともに、前記所定情報に関連付けられている前記コンテンツデータを特定するための前記情報を読み出して、前記所定のモニタに表示するための情報に加工するデータ処理手段とを、
有するデータ記録再生システムが提供される。
【００１２】
また、上記目的を達成するため、本発明によれば、上記のデータ記録再生システムで用いられる光ディスクが提供される。
【発明の効果】
【００１３】
本発明に係るデータ記録再生システム及び光ディスクは、上記の構成を有しており、ユーザが、光ディスクに格納されているコンテンツを簡単に確認できるようにし、ユーザの利便性を向上させるという効果を有している。
【発明を実施するための最良の形態】
【００１４】
以下、図面を参照しながら、本発明の第１〜第３の実施の形態について説明する。
【００１５】
＜第１の実施の形態＞
まず、本発明の第１の実施の形態について説明する。最初に、図１〜図３を参照しながら、本発明の第１の実施の形態における光ディスクの一例について説明する。
【００１６】
図１は、本発明の第１の実施の形態における光ディスクの模式的な断面図である。例えば、ＤＶＤ−ＲＷなどの記録可能な光ディスク１０は、ディスク基盤に略平行な１つ以上の記録層１１が内包されている積層構造を有している、そして、光ヘッド１４から光ビーム１５が照射されることによって、記録層１１の情報の書き込み／読み取りが行われて、データの記録再生が行われる。なお、図１には片面ディスクが図示されており、光ディスク１０の種別などが印刷される側の光ディスク１０の表面をレーベル面１２、記録層１１の情報の書き込み／読み取りのために光ビーム１５が照射される側の光ディスク１０の表面を信号面１３と呼ぶことにする。また、両面ディスクの場合も、光ディスク１０の表面の所定の箇所に、光ディスク１０の種別などの印刷が可能なレーベル箇所が存在する。
【００１７】
また、図２は、本発明の第１の実施の形態における光ディスクのレーベル面を示す平面図であり、図３は、本発明の第１の実施の形態における光ディスクの信号面を示す平面図である。図２に示すように、光ディスク１０のレーベル面１２には、ユーザが容易に気付くことができるような形態で、１次元のバーコード（以下、レーベルバーコードと呼ぶ）２１が貼付又は印刷されている。一方、図３に示すように、光ディスク１０の信号面１３のＢＣＡには、光ヘッド１４からの光ビーム１５によって読み取ることが可能なバーコード（以下、ＢＣＡバーコードと呼ぶ）３１が刻印されている。なお、本発明の第１の実施の形態では、レーベルバーコード２１及びＢＣＡバーコード３１の両方に、この光ディスク１０を他の光ディスク１０から識別するための識別情報が少なくとも格納される。
【００１８】
次に、本発明の第１の実施の形態におけるデータ記録再生システムについて説明する。図４は、本発明の第１の実施の形態におけるデータ記録再生システムの一構成例を示す図である。図４には、光ディスク１０、リモコン（リモートコントローラ）４０、データ記録再生装置５０、モニタ６０が図示されている。
【００１９】
図４に示す光ディスク１０は、図１〜図３を用いて説明した光ディスク１０であり、レーベルバーコード２１及びＢＣＡバーコード３１（図４には不図示）を有している。
【００２０】
また、図４に示すリモコン４０は、データ記録再生装置５０を遠隔操作するための操作装置であり、さらに、レーベルバーコード２１を読み取るためのバーコード読み取り部４１と、バーコード読み取り部４１で読み取ったレーベルバーコード２１内の識別情報を、赤外線によって送信することを可能とする赤外線送信部４２とを有している。
【００２１】
また、図４に示すデータ記録再生装置５０は、リモコン４０から赤外線によって送信されたレーベルバーコード２１内の識別情報を含む赤外線を受光するための赤外線受光窓５１と、光ビーム１５によって光ディスク１０から直接情報を読み出すために、光ディスク１０がセットされる光ディスク挿入部５２とを有している。
【００２２】
また、図４に示すモニタ６０は、データ記録再生装置５０により出力される信号を視覚的な情報として表示するための表示部である。
【００２３】
また、図５は、本発明の第１の実施の形態におけるデータ記録再生装置の一構成例を示す図である。図５に示すデータ記録再生装置５０は、ＤＶＤドライブ７１、ＤＶＤ制御ＬＳＩ７２、ＨＤＤ（Hard Disk Drive：ハードディスクドライブ）７３、ＨＤＤ制御ＬＳＩ（Large Scale Integration）７４、ビデオ信号処理ＬＳＩ７５、メインマイコン７６、赤外線受信部７７、リモコン制御マイコン７８を有している。なお、図５に示すデータ記録再生装置５０は、ＨＤＤ内蔵型ＤＶＤレコーダ／プレーヤを前提とした構成を有しており、以下の説明では、光ディスク１０の一形態としてＤＶＤが利用される場合について説明する。
【００２４】
図５に示すＤＶＤドライブ７１は、図４に図示されている光ディスク挿入部５２に対応しており、光による光ディスク１０の記録再生を行う機能を有している。また、図５に示すＤＶＤ制御ＬＳＩ７２は、メインマイコン７６からの指示を受けて、ＤＶＤドライブ７１の動作制御を行う機能を有している。なお、ＤＶＤドライブ７１において記録再生されるビデオデータは、ＤＶＤ制御ＬＳＩ７２を経由してビデオ信号処理ＬＳＩ７５との間でやり取りされる。
【００２５】
また、図５に示すＨＤＤ７３は、光ディスク１０と同様に、記録再生されるコンテンツを格納する機能を有しており、図５に示すＨＤＤ制御ＬＳＩ７４は、メインマイコン７６からの指示を受けて、ＨＤＤ７３の動作制御を行う機能を有している。なお、ＨＤＤ７３において記録再生されるビデオデータは、ＨＤＤ制御ＬＳＩ７４を経由してビデオ信号処理ＬＳＩ７５との間でやり取りされる。なお、ここでは、ＨＤＤ７３は、主に、後述するディスク管理情報ファイル及びコンテンツ情報ファイルを格納するための情報格納手段として用いられる。
【００２６】
また、図５に示すビデオ信号処理ＬＳＩ７５は、ここで、ビデオ入力端子から入力されるコンテンツに係る情報（ビデオデータ／オーディオデータなどの映像情報及びメタ情報）、又はビデオ出力端子から出力されるコンテンツに係る情報の処理を行う機能を有している。
【００２７】
また、メインマイコン７６は、データ記録再生装置５０全体の動作制御、動作指示、動作管理を行う機能を有している。また、ディスク管理情報ファイルの生成・更新・参照、コンテンツ情報ファイルの生成・更新・参照、識別情報の比較などの本発明に係る処理も、このメインマイコン７６において行われる。
【００２８】
また、図５に示す赤外線受信部７７は、図４に図示されている赤外線受光窓５１に対応しており、リモコン４０から赤外線情報を受信する機能を有している。また、図５に示すリモコン制御マイコン７８は、赤外線受信部７７の動作制御を行うとともに、赤外線受信部７７で受信した赤外線情報をメインマイコン７６に渡す機能を有している。
【００２９】
次に、上述したデータ記録再生システムにおける動作について説明する。データ記録再生システムにおける動作は、データ記録再生装置５０においてコンテンツ情報ファイルを生成・更新する際の動作と、ユーザがリモコン４０を用いてコンテンツ情報の閲覧を行う際の動作とに大別される。
【００３０】
まず、図６に示すフローチャートを参照しながら、データ記録再生装置５０においてコンテンツ情報ファイルを生成・更新する際の動作について説明する。図６は、本発明の第１の実施の形態におけるコンテンツ情報ファイルの生成・更新に係る動作の一例を示すフローチャートである。なお、図６に示すフローチャートは、データ記録再生装置５０における処理を示すものである。
【００３１】
図６に示すフローチャートにおいて、光ディスク挿入部５２に光ディスク１０が挿入されると、ＨＤＤ７３内蔵のデータ記録再生装置５０は、ＤＶＤドライブ７１によって、光ディスク１０のローディングを行い、光ディスク１０の再生やＢＣＡバーコード３１内の情報の読み取りを行う（ステップＳ１０１：光ディスクのローディング、ＢＣＡバーコード内の情報の読み取り）。そして、読み取られたＢＣＡバーコード３１内の情報に含まれる光ディスク１０の識別情報が、ＤＶＤ制御ＬＳＩ７２を経由して、メインマイコン７６に供給される。メインマイコン７６は、ＨＤＤ制御ＬＳＩ７４に指令を出して、ＨＤＤ７３内のディスク管理情報が格納されているディスク管理情報ファイルを読み出す（ステップＳ１０３：ディスク管理情報ファイルの読み出し）。
【００３２】
このディスク管理情報ファイルには、それまでにＤＶＤレコーダがローディングを行った光ディスク１０のそれぞれを識別する識別情報と、各光ディスク１０に関するコンテンツ情報ファイル（各光ディスク１０に記録されているコンテンツを特定するためのコンテンツ情報が格納されているコンテンツ情報ファイル）が置かれているＨＤＤ７３内の位置情報とが、互いに関連付けられた状態で格納されている。
【００３３】
図８には、図６に示すステップＳ１０３の処理で読み出されるディスク管理情報ファイルの内容の一例が、表形式で図示されている。図８に示す表の左側の列には、各光ディスク１０の識別情報（ディスク番号）が記載されており、右側の列には、コンテンツ情報ファイルが格納されているＨＤＤ７３内の位置情報（コンテンツ情報ファイルの位置を示す論理アドレス）が記載されている。また、図８に示す表の各行は各光ディスク１０に相当しており、以下では、１枚の光ディスク１０に対応した１つの行をエントリと呼ぶことにする。この図８に示す表を参照することによって、光ディスク１０の識別情報に基づいて、その光ディスク１０に関連するコンテンツ情報ファイルを読み出すことが可能となる。
【００３４】
メインマイコン７６は、ＤＶＤドライブ７１から供給されたＢＣＡバーコード３１内の識別情報と、ディスク管理情報ファイル内の識別情報との比較を行い、一致するものが存在するか否かの検索を行うことによって、ディスク管理情報ファイル内に、ローディングを行った光ディスク１０に関するエントリが存在するか否かをチェックする（ステップＳ１０５：光ディスクに関するエントリが存在？）。
【００３５】
ステップＳ１０５で、ＤＶＤドライブ７１から供給されたＢＣＡバーコード３１内の識別情報に対応するエントリが存在する場合には、メインマイコン７６は、このエントリ内に記載されているコンテンツ情報ファイルが格納されているＨＤＤ７３内の位置情報を取り出して、ＨＤＤ制御ＬＳＩ７４に対して、このコンテンツ情報ファイルの位置情報及び読み出し指示を渡すことにより、コンテンツ情報ファイルの読み出しが行われる（ステップＳ１０７：コンテンツ情報ファイルの読み出し）。
【００３６】
一方、ステップＳ１０５で、ＤＶＤドライブ７１から供給されたＢＣＡバーコード３１内の識別情報に対応するエントリが存在しない場合（例えば、この光ディスク１０のローディングが初めて行われる場合）には、ディスク管理情報ファイルに新たなエントリを追加するとともに、ＤＶＤドライブ７１から供給されたＢＣＡバーコード３１内の識別情報を、この新たなエントリの識別情報として登録する（ステップＳ１０９：光ディスクの識別情報を含む新たなエントリの追加）。
【００３７】
また、ＨＤＤ７３内に、この光ディスク１０のコンテンツ情報ファイル用のエリアを確保し、この新たなエントリのコンテンツ情報ファイルの位置を示す論理アドレスとして、確保されたエリアの位置情報を追加して（ステップＳ１１１：コンテンツ情報ファイルの位置情報を新たなエントリに追加）、更新されたディスク管理情報ファイルをＨＤＤ７３内に戻す（ステップＳ１１３：ディスク管理情報ファイルの更新・格納）。さらに、この光ディスク１０に対応するコンテンツ情報ファイルとして、中身が空のコンテンツ情報ファイルが、メインマイコン７６内に用意される（ステップＳ１１５：空のコンテンツ情報ファイルを用意）。
【００３８】
ステップＳ１０７又はステップＳ１１５における処理によって、メインマイコン７６は、ローディングを行った光ディスク１０に対応するコンテンツ情報ファイルを保持した状態となる。そして、コンテンツ情報ファイルの更新の要否をチェックし（ステップＳ１１７：コンテンツ情報ファイルの更新が必要？）、コンテンツ情報ファイルの更新が必要な場合には、コンテンツ情報ファイルの更新処理を行う（ステップＳ１１９：コンテンツ情報ファイルの更新処理）。
【００３９】
コンテンツ情報ファイルの更新処理は、基本的に、光ディスク１０に格納されているコンテンツに変更があった場合に行われる。例えば、データ記録再生装置５０において、光ディスク１０に新たなコンテンツの録画が行われた場合には、新たなコンテンツに関連するコンテンツ情報（録画日時、コンテンツ名、コンテンツの長さ（再生時間）、コンテンツから取り出された画像情報など）を、コンテンツ情報ファイルに追加する。
【００４０】
また、例えば、このデータ記録再生装置５０が、他のデータ記録再生装置によって録画されたコンテンツが格納されている光ディスク１０を初めてローディングした場合などのように、光ディスク１０に格納されているコンテンツの内容と、コンテンツ情報ファイルに格納されているコンテンツ情報の内容とが対応していない場合も起こり得る。このような場合を考慮して、データ記録再生装置５０は、ステップＳ１１７において、光ディスク１０に格納されているコンテンツの内容をチェックするとともに、そのチェック結果とコンテンツ情報ファイルの内容との比較を行い、光ディスク１０に格納されているコンテンツの内容のうち、コンテンツ情報としてコンテンツ情報ファイルに記載されていないものが存在する場合には、ステップＳ１１９において、このコンテンツ情報をコンテンツ情報ファイルに追加する更新処理を行うことも可能である。
【００４１】
このように、コンテンツ情報ファイルの更新処理が行われた後、データ記録再生装置５０は、更新されたコンテンツ情報ファイルをＨＤＤ７３に戻す（ステップＳ１２１：コンテンツ情報ファイルの格納）。なお、コンテンツ情報ファイルの格納タイミングは、任意に設定可能であり、例えば、ステップＳ１１９におけるコンテンツ情報ファイルの更新処理が行われるたびに、更新されたコンテンツ情報ファイルがＨＤＤ７３に格納されてもよく、また、光ディスク１０が光ディスク挿入部５２から取り出されるタイミングで、更新されたコンテンツ情報ファイルがＨＤＤ７３に格納されてもよい。また、同様に、ステップＳ１１３におけるディスク管理情報ファイルの更新・格納に係る処理も任意のタイミングで行われればよい。
【００４２】
以上の動作によって、データ記録再生装置５０は、各光ディスク１０に対応して、各光ディスク１０に格納されているコンテンツを特定するためのコンテンツ情報を保持することが可能となる。
【００４３】
続いて、図７に示すフローチャートを参照しながら、ユーザがリモコン４０を用いてコンテンツ情報の閲覧を行う際の動作について説明する。図７は、本発明の第１の実施の形態において、ユーザがリモコン４０を用いてコンテンツ情報の閲覧を行う際の動作の一例を示すフローチャートである。なお、図７に示すフローチャートは、データ記録再生装置５０における処理を示すものである。
【００４４】
図７に示すフローチャートに係る動作は、ユーザが、自分の手元に光ディスク１０及びリモコン４０を持っている状態からスタートする。ユーザは、手元に存在する光ディスク１０に記録されているコンテンツを知りたい場合には、リモコン４０のバーコード読み取り部４１を光ディスク１０のレーベルバーコード２１の位置に近づけて、レーベルバーコード２１内の情報を読み取る。上述のように、レーベルバーコード２１内の情報には、この光ディスク１０の識別情報が含まれている。
【００４５】
リモコン４０によるレーベルバーコード２１内の情報の読み取り後、レーベルバーコード２１内の情報は、リモコン４０の赤外線送信部４２からデータ記録再生装置５０の赤外線受信部７７に対して、赤外線情報として送信される。（ステップＳ２０１：リモコンから赤外線情報を受信）。なお、ユーザがリモコン４０に設けられた所定の情報送信指示用ボタンを押下することによって、情報の送信が行われるようにしてもよく、ユーザの操作無しに、情報の送信が行われるようにしてもよい。また、レーベルバーコード２１内の情報がそのまま送信されることによって、レーベルバーコード２１内に含まれる光ディスク１０の識別情報がデータ記録再生装置５０に供給されるようにしてもよく、また、レーベルバーコード２１内の情報が光ディスク１０の識別情報及びその他の付加的な情報によって構成されている場合には、リモコン４０内において識別情報を抽出した後、抽出された識別情報がデータ記録再生装置５０に供給されるようにしてもよい。
【００４６】
データ記録再生装置５０の赤外線受信部７７は、リモコン４０から赤外線情報が送信されてきた場合には、この赤外線情報を受信して、リモコン制御マイコン７８に供給する。リモコン制御マイコン７８は、赤外線情報からレーベルバーコード２１内の情報を取り出して、メインマイコン７６に供給する。メインマイコン７６は、レーベルバーコード２１内の情報から光ディスク１０の識別情報を抽出する（ステップＳ２０３：赤外線情報から光ディスクの識別情報を抽出）。
【００４７】
また、メインマイコン７６は、ＨＤＤ制御ＬＳＩ７４に指令を出して、ＨＤＤ７３内のディスク管理情報が格納されているディスク管理情報ファイルを読み出す（ステップＳ２０５：ディスク管理情報ファイルの読み出し）。このディスク管理情報ファイルは、上述の図６に示すフローチャートのステップＳ１１３においてＨＤＤ７３内に格納されたディスク管理情報ファイルであり、例えば、図８に図示されている内容を有するディスク管理情報ファイルである。
【００４８】
メインマイコン７６は、リモコン４０から受信した赤外線情報に含まれる識別情報と、ディスク管理情報ファイル内の識別情報との比較を行い、一致するものが存在するか否かの検索を行う（ステップＳ２０７：一致する識別情報が存在？）。
【００４９】
ステップＳ２０７で、リモコン４０から受信した赤外線情報に含まれる識別情報に対応するエントリが存在する場合には、メインマイコン７６は、このエントリ内に記載されているコンテンツ情報ファイルが格納されているＨＤＤ７３内の位置情報を取り出して、ＨＤＤ制御ＬＳＩ７４に対して、このコンテンツ情報ファイルの位置情報及び読み出し指示を渡すことにより、コンテンツ情報ファイルの読み出しが行われる（ステップＳ２０９：コンテンツ情報ファイルの読み出し）。
【００５０】
ＨＤＤ７３から読み出されたコンテンツ情報ファイルは、メインマイコン７６とビデオ信号処理ＬＳＩ７５に供給される。そして、メインマイコン７６は、コンテンツ情報ファイル内のコンテンツ情報から録画日時やコンテンツ名などのテキスト情報を取り出して、ビデオ信号処理ＬＳＩ７５に転送するとともに、ビデオ信号処理ＬＳＩ７５に対して、コンテンツ情報ファイルからの画像情報の抽出指示、及び、コンテンツ情報のテキスト情報及び画像情報のビデオ出力指示を送る。ビデオ信号処理ＬＳＩ７５では、こうしたコンテンツ情報の加工が行われた後、図４に図示されているモニタ６０に対してビデオ出力が行われ、モニタ６０の表示画面にコンテンツ情報が表示される（ステップＳ２１１：コンテンツ情報の加工・表示）。
【００５１】
一方、ステップＳ２０７で、リモコン４０から受信した赤外線情報に含まれる識別情報に対応するエントリが存在しない場合には、例えば、モニタ６０の表示画面に、『この光ディスクに関する情報は存在しません。』や『バーコード情報が正確に読み取られていない可能性があります。もう一度、バーコード情報の読み取りを行なってください。』などの所定のメッセージを表示することが望ましい（ステップＳ２１３：所定のメッセージの表示）。
【００５２】
以上の動作によって、ユーザは、リモコン４０を使って、光ディスク１０のレーベル面１２に貼付又は印刷されているレーベルバーコード２１の読み取り操作と、データ記録再生装置５０への赤外線情報の送信操作を行うだけで、この光ディスク１０のコンテンツ情報をモニタ６０によって確認することが可能となる。
【００５３】
以上、説明したように、本発明の第１の実施の形態によれば、各光ディスク１０に対応して、各光ディスク１０に格納されているコンテンツを特定するためのコンテンツ情報がデータ記録再生装置５０に保持され、ユーザは、リモコン４０を使って、光ディスク１０のレーベル面１２に貼付又は印刷されているレーベルバーコード２１の読み取り操作と、データ記録再生装置５０への赤外線情報の送信操作を行うだけで、この光ディスク１０のコンテンツ情報をモニタ６０によって確認することが可能となる。
【００５４】
なお、上述の本発明の第１の実施の形態では、光ディスクの識別情報が格納される識別体（レーベルバーコード２１）として、１次元のバーコードを用いた場合について説明したが、２次元のバーコードを用いてもよい。また、レーベルバーコード２１の代わりに、光ディスク１０に、上述のレーベルバーコード２１と同様の情報が格納された無線ＩＣ（Integrated Circuit）タグが設けられてもよい。なお、この場合には、リモコン４０には、バーコード読み取り部４１に代わって、無線ＩＣタグのデータ読み取り部が設けられる。このように、本発明では、光ディスクの識別情報が格納される識別領域又は識別体が、光ディスクに付置されていればよい。
【００５５】
また、レーベルバーコード２１は、光ディスク１０のレーベル面１２に直接印刷されてもよく、また、バーコードが印刷された紙などがレーベル面１２に貼付されてもよい。さらに、上述の本発明の第１の実施の形態では、光ディスク１０がベアディスク（裸のディスク）である場合を説明したが、光ディスク１０がカートリッジに内蔵されている場合には、そのカートリッジの表面にバーコードを貼付又は印刷してもよい。また、光ディスク１０が両面ディスクの場合には、片面ディスクのレーベル面１２に相当するディスク表面のレーベル箇所にレーベルバーコード２１を設ければよい。
【００５６】
また、上述の本発明の第１の実施の形態では、レーベルバーコード２１に格納される識別情報を、ＢＣＡバーコード３１に格納される識別情報と完全に同一とすることで、光ディスク１０を完全に特定することが可能な情報がレーベルバーコード２１に含まれるようにしているが、レーベルバーコード２１に格納される情報として、ＢＣＡバーコード３１に格納される識別情報の一部のみを用いることも可能である。この場合には、同一の情報が格納されたレーベルバーコード２１が貼付又は印刷された光ディスク１０が複数存在してしまう可能性があるが、これらの光ディスク１０が、同一の一般ユーザの手元に存在する確率は十分に低いことが予想され、その結果、本発明を実現することが可能となる。
【００５７】
また、上述の本発明の第１の実施の形態では、リモコン４０とデータ記録再生装置５０との間で、赤外線によって情報の伝送が行われているが、その他の無線通信又は有線通信によって情報の伝送が行われてもよい。また、上述の本発明の第１の実施の形態では、バーコード読み取り部４１がリモコン４０に設けられているが、バーコード読み取り部４１は、バーコード読み取り専用の操作手段に設けられてもよい。また、リモコン４０は、バーコード読み取り機能と赤外線を用いたリモコン機能とを有する携帯電話機などによって実現されてもよい。
【００５８】
また、上述の本発明の第１の実施の形態では、データ記録再生装置５０として、ＨＤＤ７３内蔵のＤＶＤレコーダ／プレーヤを前提としているが、ＨＤＤ７３の代わりとして、不揮発性の半導体メモリ（フラッシュメモリなど）に情報を格納することにより、ＨＤＤ７３を内蔵しないＤＶＤレコーダ／プレーヤをデータ記録再生装置５０として用いることも可能である。また、録画機能を有さないＤＶＤプレーヤなどのデータ再生装置に関しても、本発明は適用可能である。
【００５９】
＜第２の実施の形態＞
次に、本発明の第２の実施の形態について説明する。光ディスク１０が再生専用のＤＶＤ−Ｖｉｄｅｏディスク（以下、再生専用ディスクと呼ぶ）などの場合、非特許文献１に記載されているように、この光ディスク１０には、コンテンツのビデオデータなどと共に、ファイルシステム、タイトル情報なども格納されている。
【００６０】
本発明の第２の実施の形態では、光ディスク１０が再生専用ディスクの場合、例えば、ファイルシステム内に格納されている記録日時情報を光ディスク１０固有の識別情報とみなす。例えば、再生専用ディスクの記録日時が２００３年９月９日１８時１１分の場合には、識別情報として、０３０９０９１８１１の値が採用される。なお、識別情報として利用可能な情報は記録日時情報に限定されず、その他の光ディスク１０又はその中に格納されているコンテンツを識別する任意の情報の利用が可能である。
【００６１】
また、再生専用ディスクのレーベル面１２には、図２に図示されているように、レーベルバーコード２１が貼付又は印刷されている。このレーベルバーコード２１には、上記の記録日時情報を含む情報が格納されている。なお、本発明の第２の実施の形態に係る再生専用ディスクは、図３に図示されているように、必ずしもＢＣＡバーコード３１を有している必要はない。
【００６２】
また、再生専用ディスクと、記録可能な光ディスク１０との識別が容易となるように、例えば、再生専用ディスクに貼付又は印刷されるレーベルバーコード２１には、記録日時情報の末尾に０が付加された値を識別情報として格納し、記録可能な光ディスク１０に貼付又は印刷されるレーベルバーコード２１には、光ディスク１０のディスク番号に１が付加された値を識別情報として格納してもよい。この場合、例えば、再生専用ディスクの記録日時情報が０３０９０９１８１１の場合には、末尾に０が付加された０３０９０９１８１１０の値がレーベルバーコード２１に格納され、記録可能な光ディスク１０のディスク番号が１５３８の場合には、末尾に１が付加された１５３８１の値がレーベルバーコード２１に格納される。以下の説明では、再生専用ディスクと、記録可能なディスクとの識別が可能なように、レーベルバーコード２１に格納されている値の末尾に０又は１が付加されている場合を例にとって説明する。
【００６３】
本発明の第２の実施の形態におけるデータ記録再生システムは、例えば、図４に示す構成を有している。また、本発明の第２の実施の形態におけるデータ記録再生装置５０は、図５に示す構成とすることが可能であるが、ここでは、さらに、再生専用ディスクに対応するディスク管理情報ファイル（以下、再生専用ディスク管理情報ファイルと呼ぶ）を有するものとする。なお、この再生専用ディスク管理情報ファイルと、上述のディスク管理情報ファイルとを、同一ファイルとしてもよい。また、以下では、再生専用ディスク管理情報ファイルとの識別を行うため、記録可能なディスクに対応するディスク管理情報ファイルを記録可能ディスク管理情報ファイルと呼ぶこともある。
【００６４】
次に、本発明の第２の実施の形態のデータ記録再生システムにおける動作について説明する。データ記録再生システムにおける動作は、上述の本発明の第１の実施の形態と同様に、データ記録再生装置５０においてコンテンツ情報ファイルを生成・更新する際の動作と、ユーザがリモコン４０を用いてコンテンツ情報の閲覧を行う際の動作とに大別される。
【００６５】
まず、図９に示すフローチャートを参照しながら、データ記録再生装置５０においてコンテンツ情報ファイルを生成・更新する際の動作について説明する。図９は、本発明の第２の実施の形態におけるコンテンツ情報ファイルの生成・更新に係る動作の一例を示すフローチャートである。なお、図９に示すフローチャートは、データ記録再生装置５０における処理を示すものである。
【００６６】
図９に示すフローチャートにおいて、光ディスク挿入部５２に再生専用ディスクが挿入されると、ＨＤＤ７３内蔵のデータ記録再生装置５０は、ＤＶＤドライブ７１によって、再生専用ディスクのローディングを行い、光ディスク１０の再生やファイルシステム内の記録日時情報の読み取りを行う（ステップＳ３０１：光ディスクのローディング、記録日時情報の読み取り）。光ディスク挿入部５２に挿入された光ディスク１０が記録可能なディスクの場合には、図６に示すフローチャートと同一の動作が行われる。
【００６７】
そして、読み取られた記録日時情報は、ＤＶＤ制御ＬＳＩ７２を経由して、メインマイコン７６に供給される。メインマイコン７６は、ＨＤＤ制御ＬＳＩ７４に指令を出して、ＨＤＤ７３内の再生専用ディスク管理情報が格納されている再生専用ディスク管理情報ファイルを読み出す（ステップＳ３０３：再生専用ディスク管理情報ファイルの読み出し）。
【００６８】
この再生専用ディスク管理情報ファイルには、それまでにＤＶＤレコーダがローディングを行った再生専用ディスクのそれぞれを識別する識別情報（記録日時情報）と、各再生専用ディスクに記録されているコンテンツを特定するためのコンテンツ情報が格納されているコンテンツ情報ファイルが置かれているＨＤＤ７３内の位置情報とが、互いに関連付けられた状態で格納されている。
【００６９】
図１１には、図９に示すステップＳ３０３の処理で読み出される再生専用ディスク管理情報ファイルの内容の一例が、表形式で図示されている。図１１に示す表の左側の列には、各再生専用ディスクの識別情報（記録日時情報）が記載されており、右側の列には、コンテンツ情報ファイルが格納されているＨＤＤ７３内の位置情報（コンテンツ情報ファイルの位置を示す論理アドレス）が記載されている。また、図１１に示す表の各行は各再生専用ディスクに相当しており、以下では、１枚の再生専用ディスクに対応した１つの行をエントリと呼ぶことにする。この図１１に示す表を参照することによって、再生専用ディスクの識別情報に基づいて、その再生専用ディスクに関連するコンテンツ情報ファイルを読み出すことが可能となる。
【００７０】
メインマイコン７６は、ＤＶＤドライブ７１から供給された記録日時情報と、再生専用ディスク管理情報ファイル内の識別情報との比較を行い、一致するものが存在するか否かの検索を行うことによって、再生専用ディスク管理情報ファイル内に、ローディングを行った再生専用ディスクに関するエントリが存在するか否かをチェックする（ステップＳ３０５：再生専用ディスクに関するエントリが存在？）。
【００７１】
ステップＳ３０５で、ＤＶＤドライブ７１から供給された記録日時情報に対応するエントリが存在する場合には、以前にコンテンツ情報ファイルの生成や、コンテンツ情報ファイルへのコンテンツ情報の記載に係る処理が完了していると判断でき、そのまま動作は終了となる。
【００７２】
一方、ステップＳ３０５で、ＤＶＤドライブ７１から供給された記録日時情報に対応するエントリが存在しない場合（例えば、この再生専用ディスクのローディングが初めて行われる場合）には、再生専用ディスク管理情報ファイルに新たなエントリを追加するとともに、ＤＶＤドライブ７１から供給された記録日時情報を、この新たなエントリの識別情報として登録する（ステップＳ３０７：再生専用ディスクの識別情報を含む新たなエントリの追加）。
【００７３】
また、ＨＤＤ７３内に、この再生専用ディスクのコンテンツ情報ファイル用のエリアを確保し、この新たなエントリのコンテンツ情報ファイルの位置を示す論理アドレスとして、確保されたエリアの位置情報を追加して（ステップＳ３０９：コンテンツ情報ファイルの位置情報を新たなエントリに追加）、更新された再生専用ディスク管理情報ファイルをＨＤＤ７３内に戻す（ステップＳ３１１：再生専用ディスク管理情報ファイルの更新・格納）。さらに、この再生専用ディスクに対応するコンテンツ情報ファイルとして、中身が空のコンテンツ情報ファイルが、メインマイコン７６内に用意される（ステップＳ３１３：空のコンテンツ情報ファイルを用意）。
【００７４】
そして、メインマイコン７６は、再生専用ディスクに格納されているコンテンツの内容をチェックしてコンテンツ情報を取得し、空のコンテンツ情報ファイルに、このコンテンツ情報を記載する処理を行う（ステップＳ３１５：コンテンツ情報ファイルの記載処理）。なお、本発明の第１の実施の形態と同様に、最後に再生した日時、コンテンツ名、コンテンツの長さ（再生時間）、コンテンツから取り出された画像情報などのコンテンツを特定するための情報が、コンテンツ情報として利用可能である。
【００７５】
このように、コンテンツ情報ファイルの更新処理が行われた後、データ記録再生装置５０は、更新されたコンテンツ情報ファイルをＨＤＤ７３に戻す（ステップＳ３１７：コンテンツ情報ファイルの格納）。なお、コンテンツ情報ファイルの格納タイミングは、任意に設定可能であり、例えば、ステップＳ３１５におけるコンテンツ情報ファイルの記載処理が完了した直後に、コンテンツ情報ファイルがＨＤＤ７３に格納されてもよく、また、再生専用ディスクが光ディスク挿入部５２から取り出されるタイミングで、コンテンツ情報ファイルがＨＤＤ７３に格納されてもよい。また、同様に、ステップＳ３１１における再生専用ディスク管理情報ファイルの更新・格納に係る処理も任意のタイミングで行われればよい。
【００７６】
以上の動作によって、データ記録再生装置５０は、各再生専用ディスクに対応して、各再生専用ディスクに格納されているコンテンツを特定するためのコンテンツ情報を保持することが可能となる。なお、記録可能なディスクと再生専用ディスクとの判別は、光ディスク１０に格納されている物理情報などによって容易に判別可能であり、記録可能なディスクに係る動作に関しては、本発明の第１の実施の形態と同様に行われる。
【００７７】
続いて、図１０に示すフローチャートを参照しながら、ユーザがリモコン４０を用いてコンテンツ情報の閲覧を行う際の動作について説明する。図１０は、本発明の第２の実施の形態において、ユーザがリモコンを用いてコンテンツ情報の閲覧を行う際の動作の一例を示すフローチャートである。なお、図１０に示すフローチャートは、データ記録再生装置５０における処理を示すものである。
【００７８】
図１０に示すフローチャートに係る動作は、ユーザが、自分の手元に光ディスク１０及びリモコン４０を持っている状態からスタートする。ユーザは、手元に存在する光ディスク１０に記録されているコンテンツを知りたい場合には、リモコン４０のバーコード読み取り部４１を光ディスク１０のレーベルバーコード２１の位置に近づけて、レーベルバーコード２１内の情報を読み取る。上述のように、レーベルバーコード２１内の情報には、この光ディスク１０の識別情報が含まれている。
【００７９】
リモコン４０によるレーベルバーコード２１内の情報の読み取り後、レーベルバーコード２１内の情報は、リモコン４０の赤外線送信部４２からデータ記録再生装置５０の赤外線受信部７７に対して、赤外線情報として送信される。（ステップＳ４０１：リモコンから赤外線情報を受信）。なお、ユーザがリモコン４０に設けられた所定の情報送信指示用ボタンを押下することによって、情報の送信が行われるようにしてもよく、ユーザの操作無しに、情報の送信が行われるようにしてもよい。また、レーベルバーコード２１内の情報がそのまま送信されることによって、レーベルバーコード２１内に含まれる光ディスク１０の識別情報がデータ記録再生装置５０に供給されるようにしてもよく、また、レーベルバーコード２１内の情報が光ディスク１０の識別情報及びその他の付加的な情報によって構成されている場合には、リモコン４０内において識別情報を抽出した後、抽出された識別情報がデータ記録再生装置５０に供給されるようにしてもよい。
【００８０】
データ記録再生装置５０の赤外線受信部７７は、リモコン４０から赤外線情報が送信されてきた場合には、この赤外線情報を受信して、リモコン制御マイコン７８に供給する。リモコン制御マイコン７８は、赤外線情報からレーベルバーコード２１内の情報を取り出して、メインマイコン７６に供給する。メインマイコン７６は、レーベルバーコード２１内の情報から光ディスク１０の識別情報を抽出する（ステップＳ４０３：赤外線情報から光ディスクの識別情報を抽出）。
【００８１】
そして、メインマイコン７６は、レーベルバーコード２１内の情報の末尾の値を参照して、再生専用ディスクに貼付又は印刷されているレーベルバーコード２１内の情報であるか、記録可能なディスクに貼付又は印刷されているレーベルバーコード２１内の情報であるかをチェックする（ステップＳ４０５：再生専用ディスクの識別情報？）。
【００８２】
末尾の値が０の場合には、メインマイコン７６は、レーベルバーコード２１内の情報が再生専用ディスクのものであると判断するとともに、この０の値を削除した情報を、再生専用ディスクの識別情報とする。そして、メインマイコン７６は、ＨＤＤ制御ＬＳＩ７４に指令を出して、ＨＤＤ７３内のディスク管理情報が格納されている再生専用ディスク管理情報ファイルを読み出す（ステップＳ４０７：再生専用ディスク管理情報ファイルの読み出し）。この再生専用ディスク管理情報ファイルは、上述の図９に示すフローチャートのステップＳ３１１においてＨＤＤ７３内に格納されたディスク管理情報ファイルであり、例えば、図１１に図示されている内容を有する再生専用ディスク管理情報ファイルである。
【００８３】
また、末尾の値が１の場合には、メインマイコン７６は、レーベルバーコード２１内の情報が記録可能なディスクのものであると判断するとともに、この１の値を削除した情報を、記録可能なディスクの識別情報とする。そして、メインマイコン７６は、ＨＤＤ制御ＬＳＩ７４に指令を出して、ＨＤＤ７３内のディスク管理情報が格納されている記録可能ディスク管理情報ファイルを読み出す（ステップＳ４０９：記録可能ディスク管理情報ファイルの読み出し）。この記録可能ディスク管理情報ファイルは、上述の図６に示すフローチャートのステップＳ１１３においてＨＤＤ７３内に格納されたディスク管理情報ファイルであり、例えば、図８に図示されている内容を有するディスク管理情報ファイルである。
【００８４】
なお、再生専用ディスク管理情報ファイルと記録可能ディスク管理情報ファイルとが１つのファイルで実現されている場合には、ステップＳ４０７及びステップＳ４０９の処理のように、読み出すファイルの選択をディスクの種別ごとに行う必要はない。
【００８５】
その後の動作（図１０に示すフローチャートのステップＳ４１１〜Ｓ４１７）は、本発明の第１の実施の形態における動作（図７に示すフローチャートのステップＳ２０７〜Ｓ２１３）と同一である。すなわち、リモコン４０から受信した赤外線情報に含まれる識別情報（レーベルバーコード２１内の情報から末尾の０又は１の値を削除した情報）と、ディスク管理情報ファイル（再生専用ディスク管理情報ファイル又は記録可能ディスク管理情報ファイル）内の識別情報との比較を行い、一致するものが存在する場合には、そのコンテンツ情報ファイルのコンテンツ情報を加工してモニタ６０に表示し、一致するものが存在しない場合には、例えば所定のメッセージを表示する。
【００８６】
以上の動作によって、ユーザは、リモコン４０を使って、光ディスク１０のレーベル面１２に貼付又は印刷されているレーベルバーコード２１の読み取り操作と、データ記録再生装置５０への赤外線情報の送信操作を行うだけで、この光ディスク１０のコンテンツ情報をモニタ６０によって確認することが可能となる。
【００８７】
以上、説明したように、本発明の第２の実施の形態によれば、各光ディスク１０に対応して、各光ディスク１０に格納されているコンテンツを特定するためのコンテンツ情報がデータ記録再生装置５０に保持され、ユーザは、リモコン４０を使って、光ディスク１０のレーベル面１２に貼付又は印刷されているレーベルバーコード２１の読み取り操作と、データ記録再生装置５０への赤外線情報の送信操作を行うだけで、この光ディスク１０のコンテンツ情報をモニタ６０によって確認することが可能となる。
【００８８】
なお、上述の本発明の第２の実施の形態においても、上述の本発明の第１の実施の形態と同様、上述の態様とは異なる別の態様が可能である。すなわち、レーベルバーコード２１として２次元のバーコードを用いてもよく、また、光ディスク１０に、レーベルバーコード２１と同様の情報が格納された無線ＩＣタグを設けてもよい。また、レーベルバーコード２１は、光ディスク１０のレーベル面１２に直接印刷されてもよく、また、バーコードが印刷された紙などがレーベル面１２に貼付されてもよい。また、光ディスク１０のカートリッジの表面にバーコードが貼付又は印刷されてもよい。また、光ディスク１０が両面ディスクの場合には、所定のレーベル箇所にレーベルバーコード２１が設けられてもよい。また、レーベルバーコード２１に格納される識別情報として、再生専用ディスクに格納されている記録日時情報の一部のみを用いてもよい。また、リモコン４０とデータ記録再生装置５０との間において、赤外線通信以外の無線通信又は有線通信によって情報の伝送が行われてもよい。また、バーコード読み取り部４１は、バーコード読み取り専用の操作手段に設けられてもよく、リモコン４０が、バーコード読み取り機能と赤外線を用いたリモコン機能とを有する携帯電話機などによって実現されてもよい。また、ＨＤＤ７３の代わりとして、不揮発性の半導体メモリ（フラッシュメモリなど）に情報を格納することにより、ＨＤＤ７３を内蔵しないＤＶＤレコーダ／プレーヤをデータ記録再生装置５０として用いてもよく、録画機能を有さないＤＶＤプレーヤなどのデータ再生装置に関しても、本発明は適用可能である。
【００８９】
＜第３の実施の形態＞
次に、本発明の第３の実施の形態について説明する。上述の本発明の第１及び第２の実施の形態では、レーベルバーコード２１内に、光ディスク１０の識別情報（ディスク番号や記録日時情報）との関連性を有する情報が格納されているが、本発明の第３の実施の形態では、特に、レーベルバーコード２１内の情報自体は、光ディスク１０に設定されている任意の情報との関連性を有さず、データ記録再生装置５０内で、関連付けが行われて格納されるように構成されている。なお、レーベルバーコード２１には、光ディスク１０に固有の情報（各光ディスク１０を識別するための情報）が格納されていることが望ましい。
【００９０】
具体的には、データ記録再生装置５０のＨＤＤ７３には、図１２に図示されているようなディスク管理情報ファイルが格納される。なお、図１２には、本発明の第３の実施の形態で用いられるディスク管理情報ファイルの内容の一例が、表形式で図示されている。また、図１２に示すディスク管理情報ファイルは、上述の再生専用ディスク管理情報ファイルと記録可能ディスク管理情報ファイルとが、１つのファイルによって実現されたものであるが、上述の本発明の第２の実施の形態で説明したように、再生専用ディスク管理情報ファイルと記録可能ディスク管理情報ファイルとをそれぞれ別々にすることも可能である。
【００９１】
図１２に示す表の左側の列には、各光ディスク１０の識別情報が記載されている。この光ディスク１０の識別情報としては、上述の本発明の第１の実施の形態におけるディスク番号や、上述の本発明の第２の実施の形態における記録日時情報の利用が可能である。なお、ここでは、例えば、再生専用ディスクの識別情報として、末尾に０が付加された記録日時情報の値が識別情報として格納され、また、例えば、記録可能なディスクの識別情報として、末尾に１が付加されたディスク番号の値が識別情報として格納される例が示されているが、末尾に０又は１の値を付加せずに格納されてもよい。また、図１２に示す表の右側の列には、コンテンツ情報ファイルが格納されているＨＤＤ７３内の位置情報（コンテンツ情報ファイルの位置を示す論理アドレス）が記載されている。
【００９２】
さらに、図１２に示す中央の列には、各光ディスク１０に貼付又は印刷されているレーベルバーコード２１内の情報（バーコード番号）が格納されている。このレーベルバーコード２１内の情報は、ユーザによるバーコード登録動作によって、データ記録再生装置５０に供給され、対応する光ディスク１０の識別情報と関連付けられて格納される情報であり、各光ディスク１０を識別するための固有の情報であればランダムな値であってもよい。なお、図１２に示す表の各行は各光ディスク１０に相当しており、以下では、１枚の光ディスク１０に対応した１つの行をエントリと呼ぶことにする。この図１２に示す表を参照することによって、光ディスク１０の識別情報やレーベルバーコード２１内の情報に基づいて、その光ディスク１０に関連するコンテンツ情報ファイルを読み出すことが可能となる。
【００９３】
本発明の第３の実施の形態におけるデータ記録再生システムは、例えば、図４に示す構成を有している。また、本発明の第３の実施の形態におけるデータ記録再生装置５０は、例えば、図５に示す構成を有している。なお、データ記録再生装置５０のＨＤＤ７３には、再生専用ディスク管理情報ファイルと、記録可能ディスク管理情報ファイルとが、１つのファイルによって実現されてもよく、また、別々のファイルで実現されてもよい。以下では、図１２に示すように、再生専用ディスク管理情報ファイルと、記録可能ディスク管理情報ファイルとが、１つのファイル（ディスク管理情報ファイル）によって実現されているものとして説明を行う。
【００９４】
次に、本発明の第３の実施の形態のデータ記録再生システムにおける動作について説明する。データ記録再生システムにおける動作は、上述の本発明の第１及び第２の実施の形態と同様に、データ記録再生装置５０においてコンテンツ情報ファイルを生成・更新する際の動作と、ユーザがリモコン４０を用いてコンテンツ情報の閲覧を行う際の動作とに大別される。
【００９５】
まず、データ記録再生装置５０においてコンテンツ情報ファイルを生成・更新する際の動作について説明する。なお、本発明の第３の実施の形態のデータ記録再生装置５０においてコンテンツ情報ファイルを生成・更新する際の動作に関しては、図６に示すフローチャート（本発明の第１の実施の形態の動作）と、図９に示すフローチャート（本発明の第２の実施の形態の動作）を参照しながら、主に、これらのフローチャートとは異なる処理についてのみ説明する。
【００９６】
基本的には、図６及び図９に示すフローチャートに係る動作とほぼ同一の動作が行われるが、本発明の第３の実施の形態では、図１２に示すように、ディスク管理情報ファイルに、レーベルバーコード２１内の情報が格納される必要がある。したがって、図６に示すステップＳ１１３における処理（ディスク管理情報ファイルの更新・格納）や、図９に示すステップＳ３１１の処理（再生専用ディスク管理情報ファイルの更新・格納）の際に、ユーザがリモコン４０を用いて、この光ディスク１０に貼付又は印刷されているレーベルバーコード２１内の情報を読み取り、この情報がリモコン４０からデータ記録再生装置５０に伝送されることによって、データ記録再生装置５０が、レーベルバーコード２１内の情報を取得する処理が行われる必要がある。
【００９７】
データ記録再生装置５０は、レーベルバーコード２１内の情報を取得する処理、及びディスク管理情報ファイルの更新・格納に係る処理を任意のタイミングで行うことが可能である。例えば、光ディスク１０が光ディスク挿入部５２から取り出されるタイミングで、モニタ６０の表示画面に、『この光ディスクのバーコード情報が未登録なので、この光ディスクを取り出した後、レーベル面１２のバーコード情報の読み取りを行って下さい。』などの所定のメッセージを表示することによって、ユーザによるバーコード登録動作を促し、ユーザの読み取り動作によってリモコン４０から取得した伝送されてきたレーベルバーコード２１内の情報を、ディスク管理情報ファイル内のこの光ディスク１０のエントリ内に格納した後、ディスク管理情報ファイルの更新・格納を行ってもよい。
【００９８】
以上の動作によって、データ記録再生装置５０は、各光ディスク１０に対応して、各光ディスク１０に格納されているコンテンツを特定するためのコンテンツ情報を、その光ディスク１０に貼付又は印刷されているレーベルバーコード２１内の情報との関連付けを行ったうえで保持することが可能となる。
【００９９】
続いて、ユーザがリモコン４０を用いてコンテンツ情報の閲覧を行う際の動作について説明する。なお、本発明の第３の実施の形態におけるユーザがリモコン４０を用いてコンテンツ情報の閲覧を行う際の動作に関しても、図７に示すフローチャート（本発明の第１の実施の形態の動作）と、図１０に示すフローチャート（本発明の第２の実施の形態の動作）を参照しながら、主に、これらのフローチャートとは異なる処理についてのみ説明する。
【０１００】
ここでも基本的には、図７及び図１０に示すフローチャートに係る動作とほぼ同一の動作が行われるが、本発明の第３の実施の形態では、リモコン４０からレーベルバーコード２１内の情報（赤外線情報から抽出された情報）と一致する情報の検索対象が、ディスク管理情報ファイル内に格納されている識別情報ではなく、ディスク管理情報ファイル内に格納されているバーコード番号となる。すなわち、図７に示すステップＳ２０７及び図１０に示すステップＳ４０５の処理の際に、データ記録再生装置５０は、リモコン４０から赤外線によって取得した情報と、ディスク管理情報ファイル内のバーコード番号との比較を行い、一致するものが存在するか否かの検索を行うことによって、ディスク管理情報ファイル内に、このレーベルバーコード２１が貼付又は印刷された光ディスク１０に関するエントリが存在するか否かのチェックを行う。
【０１０１】
上記のチェックにより、リモコン４０から赤外線によって取得したレーベルバーコード２１内の情報に対応する光ディスク１０のコンテンツ管理ファイルを読み出すことが可能となり、このコンテンツ情報を、モニタ６０の表示画面に表示することが可能となる。
【０１０２】
以上の動作によって、ユーザは、リモコン４０を使って、光ディスク１０のレーベル面１２に貼付又は印刷されているレーベルバーコード２１の読み取り操作と、データ記録再生装置５０への赤外線情報の送信操作を行うだけで、この光ディスク１０のコンテンツ情報をモニタ６０によって確認することが可能となる。
【０１０３】
以上、説明したように、本発明の第３の実施の形態によれば、各光ディスク１０に対応して、各光ディスク１０に格納されているコンテンツを特定するためのコンテンツ情報が、その光ディスク１０に貼付又は印刷されているレーベルバーコード２１内の情報との関連付けが行われたうえで保持され、ユーザは、リモコン４０を使って、光ディスク１０のレーベル面１２に貼付又は印刷されているレーベルバーコード２１の読み取り操作と、データ記録再生装置５０への赤外線情報の送信操作を行うだけで、この光ディスク１０のコンテンツ情報をモニタ６０によって確認することが可能となる。
【０１０４】
また、上述の本発明の第３の実施の形態においても、上述の本発明の第１の実施の形態と同様、上述の態様とは異なる別の態様が可能である。すなわち、レーベルバーコード２１として２次元のバーコードを用いてもよく、また、光ディスク１０に、レーベルバーコード２１と同様の情報が格納された無線ＩＣタグを設けてもよい。また、レーベルバーコード２１は、光ディスク１０のレーベル面１２に直接印刷されてもよく、また、バーコードが印刷された紙などがレーベル面１２に貼付されてもよい。また、光ディスク１０のカートリッジの表面にバーコードが貼付又は印刷されてもよい。また、光ディスク１０が両面ディスクの場合には、所定のレーベル箇所にレーベルバーコード２１が設けられてもよい。また、レーベルバーコード２１に格納される識別情報として、ユーザの通常の使用形態において重複が発生しない程度に、同一のバーコード番号が用いられてもよい。また、リモコン４０とデータ記録再生装置５０との間において、赤外線通信以外の無線通信又は有線通信によって情報の伝送が行われてもよい。また、バーコード読み取り部４１は、バーコード読み取り専用の操作手段に設けられてもよく、リモコン４０が、バーコード読み取り機能と赤外線を用いたリモコン機能とを有する携帯電話機などによって実現されてもよい。また、ＨＤＤ７３の代わりとして、不揮発性の半導体メモリ（フラッシュメモリなど）に情報を格納することにより、ＨＤＤ７３を内蔵しないＤＶＤレコーダ／プレーヤをデータ記録再生装置５０として用いてもよく、録画機能を有さないＤＶＤプレーヤなどのデータ再生装置に関しても、本発明は適用可能である。
【０１０５】
なお、本発明によれば、光ディスクの識別情報が格納された識別領域又は識別体を有する光ディスクの信号面に記録されている情報を読み取るディスク読み取り手段と、
前記ディスク読み取り手段によって読み取られた前記光ディスクの前記信号面の所定領域に記録されている所定情報と、前記光ディスクの信号面に記録されているコンテンツデータを特定するための情報とを関連付けて格納する情報格納手段と、
所定の操作装置によって読み取られた前記識別対に格納されている情報を、前記所定の操作装置から受信する情報受信手段と、
前記情報受信手段によって受信した前記情報に基づいて、前記情報格納手段に格納されている前記所定情報を特定するとともに、前記所定情報に関連付けられている前記コンテンツデータを特定するための前記情報を読み出して、所定のモニタに表示するための情報に加工するデータ処理手段とを、
有するデータ記録再生装置が提供可能である。
【産業上の利用可能性】
【０１０６】
本発明に係るデータ記録再生システム及び光ディスクは、ユーザが、光ディスクに格納されているコンテンツを簡単に確認できるようにし、ユーザの利便性を向上させるという効果を有しており、光ディスクの記録や再生を行うための技術や、光ディスク内のコンテンツの検索を行うための技術などに適用可能である。
【図面の簡単な説明】
【０１０７】
【図１】本発明の第１の実施の形態における光ディスクの模式的な断面図である。
【図２】本発明の第１の実施の形態における光ディスクのレーベル面を示す平面図である。
【図３】本発明の第１の実施の形態における光ディスクの信号面を示す平面図である。
【図４】本発明の第１の実施の形態におけるデータ記録再生システムの一構成例を示す図である。
【図５】本発明の第１の実施の形態におけるデータ記録再生装置の一構成例を示す図である。
【図６】本発明の第１の実施の形態におけるコンテンツ情報ファイルの生成・更新に係る動作の一例を示すフローチャートである。
【図７】本発明の第１の実施の形態において、ユーザがリモコンを用いてコンテンツ情報の閲覧を行う際の動作の一例を示すフローチャートである。
【図８】本発明の第１の実施の形態において使用されるディスク管理情報ファイルの内容の一例を表形式で表した図である。
【図９】本発明の第２の実施の形態におけるコンテンツ情報ファイルの生成・更新に係る動作の一例を示すフローチャートである。
【図１０】本発明の第２の実施の形態において、ユーザがリモコンを用いてコンテンツ情報の閲覧を行う際の動作の一例を示すフローチャートである。
【図１１】本発明の第２の実施の形態において使用される再生専用ディスク管理情報ファイルの内容の一例を表形式で表した図である。
【図１２】本発明の第３の実施の形態において使用されるディスク管理情報ファイルの内容の一例を表形式で表した図である。
【符号の説明】
【０１０８】
１０  光ディスク
１１  記録層
１２  レーベル面
１３  信号面
１４  光ヘッド
１５  光ビーム
２１  バーコード（レーベルバーコード）
３１  バーコード（ＢＣＡバーコード）
４０  リモコン（リモートコントローラ）
４１  バーコード読み取り部
４２  赤外線送信部
５０  データ記録再生装置
５１  赤外線受光窓
５２  光ディスク挿入部
６０  モニタ
７１  ＤＶＤドライブ
７２  ＤＶＤ制御ＬＳＩ
７３  ＨＤＤ
７４  ＨＤＤ制御ＬＳＩ
７５  ビデオ信号処理ＬＳＩ
７６  メインマイコン
７７  赤外線受信部
７８  リモコン制御マイコン
【図１】
2006221725.tif 000003
【図２】
2006221725.tif 000004
【図３】
2006221725.tif 000005
【図４】
2006221725.tif 000006
【図５】
2006221725.tif 000007
【図６】
2006221725.tif 000008
【図７】
2006221725.tif 000009
【図８】
2006221725.tif 000010
【図９】
2006221725.tif 000011
【図１０】
2006221725.tif 000012
【図１１】
2006221725.tif 000013
【図１２】
2006221725.tif 000014